(57)【要約】 【課題】スーツケース用ベルトに改良を加えて、スーツケースに載置した手荷物の固定用として兼用できるようにする。【解決手段】  ベルト本体１の両端に連結部材（面ファスナー１２，１３及び連結用バックル３）を設け、ベルト本体１の中間部に適宜な長さのスーツケースの伸縮引手の幅より長くした装着補助帯２を重ね合わせ、装着補助帯２の両端をベルト本体１と連結（縫合連結部１５）し、ベルト本体１と装着補助帯２の二重部分の中間箇所に、二重部分の対向面に互いに着脱可能なファスナー部１４，２１を設けてなる。【選択図】図１
0003211257.tif 000002
【実用新案登録請求の範囲】
【請求項１】
織帯製のベルト本体の一方端部に、解れ防止用の先端補強部を設けると共に、外面適宜長さの範囲に対面して絡着する面ファスナーを連続して設け、他方端部に、ベルト端を連結した日の字形状の長さ調整バックルにベルト本体を折り返し挿通すると共に、折返し箇所ロの形状の連結用バックルを装着してなる適宜長さのベルト本体において、中間部に適宜な長さのスーツケースの伸縮引手の幅より長くした装着補助帯を重ね合わせ、前記装着補助帯の両端をベルト本体と連結し、装着補助帯の中間部分におけるベルト本体との対向面に互いに着脱可能な面ファスナー部を設けてなることを特徴とするスーツケース用ベルト。
【考案の詳細な説明】
【技術分野】
【０００１】
本考案は、スーツケース用ベルトに関するものである。
【背景技術】
【０００２】
スーツケース用ベルトは、スーツケースに巻装して、鍵の故障等の理由によりスーツケースが開口してしまわないように予防的に使用されるベルトで、一般的には一端にバックル部材を設け、ベルト本体をバックルに挿通して装着し、或いは長さ調整機構を備え、ベルト両端に連結部材を設けているもの等が知られている。
【０００３】
またキャリーバックと称されキャスターを備えたスーツケースには、伸縮引手が設けられており、小型バックや他の荷物を載せて運搬することもしばしば行われている。
【０００４】
この小型バックや手荷物をこのキャリーバックで運搬する際に荷物が落下しないように伸縮引手に装着する手荷物用バンドが種々提案されている。例えば特許文献１（特開２００９−２５４５６１号公報）には、伸縮引手に外挿する筒状カバーと、これに交差するように設けたベルト部からなるベルトが開示されている。また特許文献２（特開２０１０−２５９５８７号公報）には、ベルト部の両端に連結用輪状ゴムを設けたベルトが開示されている。
【先行技術文献】
【特許文献】
【０００５】
【特許文献１】特開２００９−２５４５６１号公報。
【特許文献２】特開２０１０−２５９５８７号公報。
【考案の概要】
【考案が解決しようとする課題】
【０００６】
従前のスーツケース用ベルトは、単に両端に連結部材を装着したベルトであり、キャリーバックに積載した荷物等を固定するバンドとしての使用には適さない。また前記した特許文献１，２に開示した手荷物用バンドは、スーツケース用として使用には適さない。
【０００７】
またスーツケース用バンドは、航空機に搭載する際に使用されるのが一般的であり、携行時には不要であり、他方手荷物用バンドは、スーツケース（キャリーバッグ）の飛行機搭載時に不必要で、地上での携行時に使用するものである。そこで本考案は、簡易な構造で両用できるスーツケース用ベルトを提案したものである。
【課題を解決するための手段】
【０００８】
本考案に係るスーツケース用ベルトは、織帯製のベルト本体の一方端部に、解れ防止用の先端補強部を設けると共に、外面適宜長さの範囲に対面して絡着する面ファスナーを連続して設け、他方端部に、ベルト端を連結した日の字形状の長さ調整バックルにベルト本体を折り返し挿通すると共に、折返し箇所ロの形状の連結用バックルを装着してなる適宜長さのベルト本体において、中間部に適宜な長さのスーツケースの伸縮引手の幅より長くした装着補助帯を重ね合わせ、前記装着補助帯の両端をベルト本体と連結し、装着補助帯の中間部分におけるベルト本体との対向面に互いに着脱可能な面ファスナー部を設けてなることを特徴とするものである。
【０００９】
而してスーツケース（キャリーバッグ）と手荷物を携行して旅行する場合には、特にスーツケースを飛行機への預け入れ荷物（積載荷物）とする際に、前記ベルトは、スーツケースに巻装して使用するものであり、携行する手荷物は、通常手荷物として携帯される。そしてスーツケースと手荷物を一緒に携行する際（牽引携帯）には、ベルト本体の中間部における装着補助帯との二重部分を引き出した伸縮引手に外挿し、対向面のファスナー部分を止着してスーツケースの上方に手荷物を載置し、ベルト本体を手荷物に囲繞し、ベルト本体の両端の連結部材で連結して手荷物を伸縮引手に固定するものである。
【考案の効果】
【００１０】
本考案の構成は上記のとおりで、スーツケースと手荷物を携行する旅行に際して、飛行機搭載時や車両での運搬時に使用されるスーツケースベルトと、手荷物をスーツケースに載置して牽引携帯する際に使用される手荷物用固定ベルトを、簡単な構造の付加によって兼用できるスーツケース用ベルトを提供できたものである。
【図面の簡単な説明】
【００１１】
【図１】本考案の実施形態の全体斜視図。
【図２】同使用状態の説明図（スーツケース用として装着後状態）。
【図３】同図（スーツケース用としての使用の装着説明図）。
【図４】同図（手荷物用としての使用の装着説明図）。
【図５】同図（手荷物用として装着後状態）で（イ）は背面（ロ）は正面を示す。
【考案を実施するための形態】
【００１２】
次に本考案の実施形態について説明する。実施形態に示したベルトは、ベルト本体１と装着補助帯２と、連結用バックル３と、長さ調整バックル４で構成される。
【００１３】
ベルト本体１は、織帯製で、一端に解れ防止用の先端補強部１１を設け、同端側の外面適宜長さの範囲に対面して絡着する面ファスナー（フック面テープ部１２とループ面テー部１３）を連続して設けたものである。
【００１４】
また、ベルト本体１の他方端側は、ロの字形状の連結用バックル３と、日の字形状の長さ調整バックル４を設けてなり、連結用バックル３は、他方端のベルト本体１の折返し箇所に装着し、長さ調整バックル４は、ベルト本体１の先端を中間杆に連結し、ベルト本体１を間隙部分に挿通させてなり、ベルト本体１の挿通位置を変更することで折返し長さを調整するものである。
【００１５】
本考案は特に装着補助帯２を設けたもので、前記装着補助帯２は、一般的なスーツケースＡの伸縮引手ａの幅より長くしたもので、ベルト本体１の中間部に重ね合わせ、装着補助帯２の両端をベルト本体１に縫合連結し、縫合連結部１５の間のベルト本体１と装着補助帯２の二重部分の中間箇所において、ベルト本体１と装着補助帯２の対向面にそれぞれファスナー部（フック面テープ部とループ面テープ部）１４，２１を設けてなる。
【００１６】
例えばスーツケースＡを飛行機への預け入れ荷物（飛行機積載荷物）とする際には、図２，３に示すように、ベルトは、スーツケースＡに巻装して使用される。携行する手荷物Ｂは、通常手荷物（持ち込み荷物）として携帯される。
【００１７】
そして地上においてスーツケースと手荷物を一緒に携行する際には（牽引携帯）、手荷物ＢをスーツケースＡ上に載置するが、その場合には図４，５に示すとおり、ベルト本体１の中間部における装着補助帯２との二重部分を、引き出した伸縮引手ａに外挿し、対向面の面ファスナー１４，２１を止着して伸縮引手ａに装着する。伸縮引手ａに装着したベルトを手荷物Ｂに巻き付け、手荷物Ｂを伸縮引手ａに固定することができ、牽引携帯の使用に供するものである。
【００１８】
尚前記実施形態は本考案の一例にすぎず、ベルト本体１に設ける連結部材（面ファスナー１２，１３及び連結用バックル３）は任意であり他の部材を採用することもでき、またベルト本体１と装着補助帯２との対向面に設けたファスナー部１４，２１も面ファスナー以外のボタン形式でも良い。
【符号の説明】
【００１９】
１      ベルト本体
１１    先端補強部
１２，１３    面ファスナー（連結部材）
１４    ファスナー部
１５    縫合連結部
２      装着補助帯
２１    ファスナー部
３      連結用バックル
４      長さ調整バックル
【図１】
0003211257.tif 000003
【図２】
0003211257.tif 000004
【図３】
0003211257.tif 000005
【図４】
0003211257.tif 000006
【図５】
0003211257.tif 000007